(57)【要約】【課題】光学フィルム重畳体を収納容器に簡易に収納することができ、損傷することなく確実に運搬できる光学フィルム重畳体の収納方法および収納容器を提供すること。【解決手段】方形状の光学フィルム重畳体を収納容器に収納する方法であって、上面が開口した箱体と該箱体に被装させる上蓋からなり、該箱体内の底部に架台を有し、該架台上面に吸着シートが貼付されている収納容器に、該光学フィルム重畳体の上下に樹脂シートを配置して挟持し、その縁部をクランプで固定して収納容器内の架台上に載置し、架台上面の吸着シートに吸着させることを特徴とする。【選択図】図１
2009241955.tif 000002
【特許請求の範囲】
【請求項１】
方形状の光学フィルム重畳体を収納容器に収納する方法であって、上面が開口した箱体と該箱体に被装させる上蓋からなり、該箱体内の底部に架台を有し、該架台上面に吸着シートが貼付されている収納容器に、該光学フィルム重畳体の上下に樹脂シートを配置して挟持し、その縁部をクランプで固定してなる光学フィルム重畳体を、収納容器内の架台上に載置し、架台上面の吸着シートに吸着させることを特徴とする光学フィルム重畳体の収納方法。
【請求項２】
クランプが置かれる部分の架台に切り欠き部を有することを特徴とする請求項１記載の光学フィルム重畳体の収納方法。
【請求項３】
光学フィルム重畳体を収納した他の容器を積み重ねる際に案内する突出ガイドを上蓋の四隅に備えていることを特徴とする請求項１記載の光学フィルム重畳体の収納方法。
【請求項４】
方形状の光学フィルム重畳体を収納するため収納容器であって、上面が開口した箱体と該箱体に被装させる上蓋からなり、上下に樹脂シートを配置して挟持し、その縁部をクランプで固定した光学フィルム重畳体を載置するための架台を該箱体内の底部に有し、架台上面に吸着シートが貼付されていることを特徴とする光学フィルム重畳体の収納容器。
【請求項５】
クランプが置かれる部分の架台に切り欠き部を有することを特徴とする請求項４記載の光学フィルム重畳体の収納容器。
【請求項６】
光学フィルム重畳体を収納した他の容器を積み重ねる際に案内する突出ガイドを上蓋の四隅に備えていることを特徴とする請求項４記載の光学フィルム重畳体の収納容器。
【請求項７】
収納容器がポリオレフィンシートから形成されていることを特徴とする請求項４記載の光学フィルム重畳体の収納容器。
【発明の詳細な説明】
【技術分野】
【０００１】
本発明は、光学フィルム重畳体を収納して運搬するための光学フィルム重畳体の収納方法および収納容器に関する。
【背景技術】
【０００２】
偏光フィルムや位相差フィルム、またはそれらを積層したフィルムなどの光学フィルムは、液晶表示装置を構成する光学部品のひとつとして有用であり、液晶表示装置の画面に合わせた形状である方形の光学フィルムとして使用されている。
このような光学フィルムは、通常、製造工場から次の液晶パネル工場へと輸送して使用される。
【０００３】
光学フィルムは複数枚を積み重ねて光学フィルム重畳体とし、さらにその全体をポリオレフィンフィルムなどの包装材で包んで、光学フィルム重畳体の包装体とし、更にダンボール等の容器に入れて梱包して出荷することが多い。
この方法は、収納袋を箱に梱包したり開梱したりする工程が必要であるため、作業が煩雑になるという問題があるので、四隅を案内する案内用突出部を備えたている板状のケースに光学フィルム重畳体をそのまま、またはフィルムで包装したものを載置し、これをラックに収納し、ラックを移送用台車に取り付けて運搬する方法が提案されている（特許文献１参照。）
【０００４】
しかしながら、この方法は運搬中の揺れによって、光学フィルムの案内用突出部に接触する部分が損傷する恐れがあること、また大型の光学フィルムの場合、ラックに収納したり、台車に取り付けたりする際の横もちの労力が大変であるという問題を有している。
【特許文献１】特開２００７−１５３３５３号公報
【発明の開示】
【発明が解決しようとする課題】
【０００５】
本発明は、光学フィルム重畳体を収納容器に簡易に収納することができ、損傷することなく確実に運搬できる光学フィルム重畳体の収納方法および収納容器を提供することにある。
【課題を解決するための手段】
【０００６】
本発明者は、光学フィルム重畳体の収納方法および収納容器について鋭意検討した結果、収納容器内の底部に架台を設け、架台上面に吸着シートが貼付しておき、光学フィルム重畳体を上下に樹脂シートを配置して挟持し、その縁部をクランプで固定して架台上に載置し、架台上面の吸着シートに吸着させることによって、光学フィルム重畳体を簡易に収納でき、かつ運搬中に光学フィルム重畳体が外れて動くことなく確実に運搬できることを見出し、本発明に至った。
【０００７】
すなわち本発明は、方形状の光学フィルム重畳体を収納容器に収納する方法であって、上面が開口した箱体と該箱体に被装させる上蓋からなり、該箱体内の底部に架台を有し、該架台上面に吸着シートが貼付されている収納容器に、該光学フィルム重畳体の上下に樹脂シートを配置して挟持し、その縁部をクランプで固定してなる光学フィルム重畳体を、収納容器内の架台上に載置し、架台上面の吸着シートに吸着させることを特徴とする光学フィルム重畳体の収納方法である。
【０００８】
また、方形状の光学フィルム重畳体を収納するため収納容器であって、上面が開口した箱体と該箱体に被装させる上蓋からなり、上下に樹脂シートを配置して挟持し、その縁部をクランプで固定した光学フィルム重畳体を載置するための架台を該箱体内の底部に有し、架台上面に吸着シートが貼付されていることを特徴とする光学フィルム重畳体の収納容器である。
【発明の効果】
【０００９】
本発明によって、光学フィルム重畳体を簡易に収納容器に収納することができ、損傷することなく確実に運搬できる。
【発明を実施するための最良の形態】
【００１０】
図１〜図３は本発明の一実施態様を示す図である。図１は斜視図であり、図２は箱体の平面図であり、図３は図２におけるＡ−Ａ部の断面図である。
光学フィルム重畳体１は、光学フィルム２が複数枚を積み重ねたものであり、その上下に樹脂シート３を配置して挟持し、その縁部をクランプ４で固定している。
【００１１】
光学フィルムとしては、偏光フィルム、光制御フィルム、偏光分離フィルムおよび位相差フィルム、またはこれらの積層フィルムが挙げられるが、これらに限るものではない。
かかる光学フィルムの形状は、例えば、使用する液晶表示装置の画面サイズに対応する大きさの方形に加工されることが多い。
光学フィルムは、通常、液晶表示装置への取付け工程を簡便にするために、その一方または両面に接着層が設けられている。一方、接着層が設けられていない面は、光学フィルム表面を保護する目的で保護フィルムが設けられている。そして、接着層の上にはホコリなどの異物が付着したり、光学フィルム同士が接着したりするのを防ぐ目的で剥離フィルムが貼着され、接着層を有する光学フィルムとして取り扱われる。なお、剥離フィルムは、液晶表示装置へ取り付けられる直前に取り除かれる。
【００１２】
偏光フィルムは、通常、ヨウ素または二色性染料で染色されたポリビニルアルコール（ＰＶＡ）からなる偏光子フィルムの両面を、トリアセチルセルロース（ＴＡＣ）製のフィルムで積層したものなどが使用される。偏光子フィルムの厚みは通常１５〜３０μｍ程度、ＴＡＣフィルムの厚みは通常４０〜２００μｍ程度である。偏光子フィルムとＴＡＣフィルムとは通常ポリビニルアルコール系の接着剤などにより接着されている。
位相差フィルムは、例えばポリカーボネート系樹脂フィルムを延伸することで得られる一軸配向フィルムなどが使用され、その厚みは通常３０〜１００μｍ程度である。
【００１３】
偏光フィルムは、透過軸方向に平行な光を透過し、透過軸と直交する吸収軸方向に平行な光を吸収する機能を有するフィルムであり、吸収型偏光フィルムとも称される。通常、偏光子およびその両側に積層した保護膜からなり、偏光子は、膜厚が約１０μｍ〜１５０μｍのポリビニルアルコールフィルムに一軸延伸、二色性色素による染色およびホウ酸処理してなるフィルムである。保護膜としては、通常、酢酸セルロース系樹脂フィルム、例えば、トリアセチルセルロースフィルムが使用されている。例えば、”スミカラン（登録商標）SRW862A”（住友化学株式会社製）が挙げられる。
【００１４】
偏光分離フィルムは、透過軸方向に平行な光を透過し、透過軸と直交する反射軸方向に平行な光を反射する機能を有するフィルムであり、反射型偏光フィルム、非吸収型偏光フィルム、あるいは反射された光が再利用され輝度が向上するので輝度上昇フィルムとも称される。ポリエステル、特にポリエチレンナフタレートやポリエチレンナフタレート単位を主成分とする共重合体を原料として性能に優れたものが得られており、例えば、商品名”ＤＢＥＦ”（住友スリーエム株式会社製）として市販されている。
【００１５】
光制御フィルムは、特定の角度からの入射光は散乱し、それ以外の角度からの入射光はそのまま透過する性質を有する光制御フィルムなどのようなフィルムであり、例えば、”ルミスティー（登録商標）”（住友化学株式会社製）が挙げられる。
【００１６】
位相差フィルムは、樹脂フィルムの延伸によって位相差（レターデーション）を付与したフィルムであり、例えば、ポリカーボネート系樹脂、ポリサルフォン系樹脂、ポリエーテルサルフォン系樹脂、ポリアリレート系樹脂、シクロオレフィン系樹脂、ノルボルネン系樹脂などが主に使用される。延伸には公知の方法が採用でき、ロール間延伸のような縦延伸や、テンター延伸のような横延伸が多く用いられる。また、延伸方向は一軸延伸でもよいが、液晶表示装置に使用する際の視野角調整のため、厚み方向の配向を施したものもある。位相差フィルムの位相差値は、所望の特性に合わせて適宜決定されるが、一般には、約１００〜１,０００ｎｍの範囲のものが多く用いられる。例えば、ポリカーボネート製で厚み４０μｍの一軸延伸位相差フィルムである”スミカライト（登録商標）SEF440138”（住友化学株式会社製）が挙げられる。
【００１７】
接着層を構成する接着剤は、透明で光学的に等方性のものであれば特に限定されず、通常は感圧型接着剤（粘着剤）が用いられる。感圧型接着剤としては、アクリル系感圧型接着剤、ウレタン系感圧型接着剤などが使用される。接着剤層の厚みは概ね１０μｍ〜５０μｍ程度である。
【００１８】
剥離フィルムとしては、通常、ポリエチレンフィルム、ポリエチレンテレフタレート（ＰＥＴ）フィルムなどが使用され、その厚みは通常２０〜４０μｍである。かかる剥離フィルムは、例えばその表面をシランカップリング剤などによって処理されることにより離型性を付与されているものもある。
【００１９】
光学フィルムは、その複数枚を積み重ねることで光学フィルム重畳体が形成される。 対角１０インチ以上の光学フィルムは、過剰に積み重ねると、光学フィルムの自重のために押し傷（打痕）がつく恐れがあるとか、積み重ね枚数が多くなると高重量となりハンドリングが困難となるので、積み重ねる枚数は約１００枚以下とすることが多い。特に対角が１５インチ以上の光学フィルムは積み重ねる枚数を約５０枚以下、対角３０インチ以上の光学フィルムは積み重ねる枚数を約３０枚以下とすることが多い。  
【００２０】
光学フィルム重畳体の上下に配置する樹脂シートとしては、ポリエチレン、ポリプロピレン、アクリル樹脂、ポリカーボネートなどのシートが挙げられるが、これらに限られるものではない。撓みが少ないこと、コストの点からアクリル樹脂シートが好ましく用いられる。この際、押し傷を防止する観点から、アクリル樹脂シートより柔らかいポリスチレンシートを光学フィルムとアクリル樹脂シートの間に挿入するのが好ましい。樹脂シートの厚さは、通常、約２〜１０ｍｍである。
【００２１】
上下に樹脂シートを配置し、挟持した光学フィルム重畳体はその縁部をクランプで固定する。光学フィルム重畳体は、上下に樹脂シートを配置した状態で側部の面取りを行い、終了後、クランプで固定する。
クランプの種類は限定されるものではなく、ネジで固定する型のクランプ、バネで固定する型のクランプなどが使用されるが、バネで固定する型のハンディークランプが好ましく使用される。
【００２２】
光学フィルム重畳体１を収納する収納容器は、上面が開口した箱体１０とこの箱体に被せて装着する上蓋１１からなり、箱体内の底部に光学フィルム重畳体を載置する架台１２を有している。
箱体、上蓋および架台は、軽量化のためポリエチレン、ポリプロピレンなどのポリオレフィンのシートで作製される。シートの厚さは大きさによるが、約３〜７ｍｍのものが使用される。箱体、上蓋および架台などはシートをリベット止めなどによって組み立てられる。
架台の大きさは、光学フィルム重畳体の大きさと同等とし、その場合には光学フィルム重畳体が架台に接し、クランプが架台上面に接しないようにクランプが置かれる部分の架台に切り欠き部１４を設けている。
架台の大きさは、クランプの先端が架台から出る程度に光学フィルム重畳体の大きさより小さくしても良い。
【００２３】
架台の上面には吸着シート１３が貼付されている。吸着シートとしては、市販の”ゼオンＡＬシート”（ゼオン化成株式会社製）などが使用される。
上記の吸着シートは、架台全面に貼付しなくても十分な吸着力を有しており、図２に示すように数箇所で光学フィルム重畳体が離れることなく吸着可能である。
【００２４】
箱体の架台上に、上下に樹脂シートを配置して挟持し、その縁部をクランプで固定した光学フィルム重畳体を載置し、吸着シートに吸着させる。
上記のクランプで固定した光学フィルム重畳体はハンド吸着盤で容易に横持ちすることができる。
光学フィルム重畳体を載置した箱体に上蓋を被装して輸送する。
【００２５】
上蓋の四隅に、光学フィルム重畳体を収納した他の容器を積み重ねる際に案内する突出ガイド１５を備えていてもよい。突出ガイドは、通常、上蓋の側面の四隅にＬ字型に設けられる。
【００２６】
光学フィルム重畳体を収納した収納容器の輸送は、一個または数個重ね合わせて行われる。いずれの場合も、光学フィルム重畳体を損傷することなく確実に運搬できる。
【実施例】
【００２７】
以下、実施例により本発明をさらに詳細に説明するが、本発明はこれらの実施例によって限定されるものではない。
【００２８】
図１に示すように、光学フィルムとして対角線が３２インチの方形状の偏光フィルム”スミカラン（登録商標）SRW862A”（住友化学株式会社製）を１００枚積み重ね、その上下に厚さ５ｍｍのアクリル樹脂シートを配置して挟持し、その側部を面取りした後、その縁部４箇所をハンディークランプで固定した。
【００２９】
厚さ５ｍｍのポリプロピレンシートを用い、大きさが縦９５０ｍｍ×横６５０ｍｍ×高さ１１５ｍｍ×厚さ５ｍｍの上面が開口した箱体、縦９８０ｍｍ×横６７５ｍｍ×高さ５０ｍｍ×厚さ５ｍｍの上蓋を作製した。
箱体内の底部に大きさが縦７１５ｍｍ×横４１０ｍｍ×高さ３０ｍｍ×厚さ５ｍｍの架台を設けた。架台に図２に示すように４箇所に切り欠き部を設けた。
架台の上面には吸着シートとして大きさが縦１００ｍｍ×横７０ｍｍの”ゼオンＡＬシート”（ゼオン化成株式会社製）を図２に示すように４箇所に貼付けた。
【００３０】
上下に樹脂シートを配置して挟持し、その縁部をクランプで固定した光学フィルム重畳体をハンド吸着盤で持ち上げ、箱体の架台上に載置し、吸着シートに吸着させ、箱体に上蓋を被装した。
これをトラックに載せ、約１０００ｋｍ輸送した。その後、中身を確認したところ、光学フィルム重畳体が吸着シートから離れておらず、光学フィルムの損傷は見られなかった。
【図面の簡単な説明】
【００３１】
【図１】本発明の一実施態様を示す斜視図である。
【図２】本発明の箱体の一実施態様を示す正面図である。
【図３】本発明の箱体の一実施態様を示す断面図である。
【符号の説明】
【００３２】
１  光学フィルム重畳体
２  光学フィルム
３  樹脂シート
４  クランプ
１０  箱体
１１  上蓋
１２  架台
１３  吸着シート
１４  切り欠き部
１５  突出ガイド
【図１】
2009241955.tif 000003
【図２】
2009241955.tif 000004
【図３】
2009241955.tif 000005